(57)【要約】　　　（修正有）【課題】通信装置に搭載されたバイナリファイル転送機能を利用した料金振込み指示方法を提供する。【解決手段】ＢＦＴデータの送受信が可能なファクシミリ装置を利用して所定の料金の振込み指示処理を行う方法であって、第１の通信端末から送信される第１のＢＦＴ料金請求データを受信する工程と、第１のＢＦＴ料金請求データから、料金の被請求者を特定するための第１の識別子を抽出する工程と、ファクシミリ装置に接続された外部記憶媒体から、被請求者を特定するための第２の識別子を抽出する工程と、抽出された第１の識別子と第２の識別子とが一致するか否かを判定する工程と、第１の識別子と第２の識別子とが一致すると判定された場合に、第２の通信端末へＢＦＴ振込み指示データを送信する送信工程とを備える。【選択図】図２
2004021644.tif 000002
【特許請求の範囲】
【請求項１】
通信回線を介して第１及び第２の通信端末に接続され、外部記憶媒体を接続可能であるとともに、ＢＦＴ（Ｂｉｎａｒｙ　Ｆｉｌｅ　Ｔｒａｎｓｆｅｒ）データの送受信が可能な通信装置を利用して所定の料金の振込み指示処理を行う料金振込み指示方法であって、
前記第１の通信端末から送信される第１のＢＦＴ料金請求データを受信する第１の請求データ受信工程と、
前記第１のＢＦＴ料金請求データから、前記料金の被請求者を特定するための第１の識別子を抽出する第１の抽出工程と、
前記通信装置に接続された外部記憶媒体から、前記被請求者を特定するための第２の識別子を抽出する第２の抽出工程と、
前記抽出された第１の識別子と第２の識別子とが一致するか否かを判定する判定工程と、
前記判定工程により前記第１の識別子と前記第２の識別子とが一致すると判定された場合に、前記第１の通信端末から送信される第２のＢＦＴ料金請求データを受信する第２の請求データ受信工程と、
前記第２のＢＦＴ料金請求データの内容に基づいて、前記第２の通信端末へＢＦＴ振込み指示データを送信する送信工程と
を備えることを特徴とする料金振込み指示方法。
【請求項２】
前記判定工程により前記第１の識別子と前記第２の識別子とが一致しないと判定された場合に、
前記第１の識別子と、前記第１の通信端末に関連する情報とを前記通信装置の記憶部に記憶させる第１の記憶工程と、
前記第２のＢＦＴ料金請求データを未受信であることを示す未受信フラグを設定するフラグ設定工程と、
前記第１の通信端末との通信を終了する通信終了工程とをさらに備えることを特徴とする請求項１に記載の料金振込み指示方法。
【請求項３】
前記外部記憶媒体の前記通信装置への接続を検知する接続検知工程と、
前記通信終了工程により前記第１の通信端末との通信が終了された後に、前記接続検知工程において前記外部記憶媒体の接続が検知された場合に、前記第２の抽出工程により前記接続が検知された外部記憶媒体から前記第２の識別子を抽出し、前記判定工程により前記記憶部に記憶された前記第１の識別子と前記抽出された第２の識別子とが一致すると判定された場合に、前記記憶部に記憶された前記第１の通信端末に関連する情報に基づいて、前記第２のＢＦＴ料金請求データを受信するために前記第１の通信端末へポーリング発呼を行うポーリング発呼工程とを備えることを特徴とする請求項２に記載の料金振込み指示方法。
【請求項４】
前記受信した第２のＢＦＴ料金請求データを、前記外部記憶媒体に記憶させる第２の記憶工程と、
前記外部記憶媒体に記憶された前記第２のＢＦＴ料金請求データの内容を印字出力する印字出力工程とをさらに備えることを特徴とする請求項１乃至請求項３のいずれか１項に記載の料金振込み指示方法。
【請求項５】
通信回線を介して第１及び第２の通信端末に接続され、外部記憶媒体を接続可能であるとともに、ＢＦＴデータの送受信が可能な通信装置を利用して所定の料金の振込み指示処理を行う料金振込み指示方法であって、
前記第１の通信端末から送信されるＢＦＴ料金請求データを受信する請求データ受信工程と、
前記ＢＦＴ料金請求データに対応する前記料金振込み指示処理の開始命令を受け付けるための命令受付工程と、
前記命令受付工程により前記処理開始命令を受けた場合に、前記外部記憶媒体の前記通信装置への接続を検知する接続検知工程と、
前記接続検知工程において接続が検知された場合に、前記ＢＦＴ料金請求データの内容に基づいて第２の通信端末へＢＦＴ振込み指示データを送信する送信工程と
を備えることを特徴とする料金振込み指示方法。
【請求項６】
前記請求データ受信工程において前記ＢＦＴ料金請求データを受信した場合に、前記ＢＦＴ料金請求データに対応する前記ＢＦＴ振込み指示データの送信が完了していないことを示す未送信フラグを設定するフラグ設定工程と、
前記送信工程において前記ＢＦＴ振込み指示データの送信が完了した場合に、前記未送信フラグをクリアするフラグクリア工程とを備えることを特徴とする請求項５に記載の料金振込み指示方法。
【請求項７】
前記命令受付工程において前記処理開始命令を受け付けた後に、前記フラグクリア工程によって前記未送信フラグがクリアされている場合に、前記ユーザーに対して、前記送信工程による前記ＢＦＴ振込み指示データの送信が完了したことを通知する送信完了通知工程を更に備えることを特徴とする請求項６に記載の料金振込み指示方法。
【請求項８】
前記送信工程が、前記ＢＦＴ振込み指示データと共に前記第１の通信端末に関連する情報を送信することを特徴とする請求項５乃至請求項７のいずれか１項に記載の料金振込み指示方法。
【請求項９】
前記送信工程による前記ＢＦＴ振込み指示データの送信が完了した場合に、前記ＢＦＴ振込み指示データの内容の印字出力指示を受け付ける工程を更に備えることを特徴とする請求項５乃至請求項８のいずれか１項に記載の料金振込み指示方法。
【請求項１０】
請求項１乃至請求項９のいずれか１項に記載の料金振込み指示方法をコンピュータに実行させるための料金振込み指示プログラム。
【請求項１１】
請求項１０に記載の料金振込み指示プログラムを記憶した、コンピュータで読取り可能な記憶媒体。
【請求項１２】
通信回線を介して所定の料金の振込み指示処理を行うために第１及び第２の通信端末に接続され、外部記憶媒体を接続可能であるとともに、ＢＦＴデータの送受信が可能な通信装置であって、
前記第１の通信端末から送信される第１のＢＦＴ料金請求データを受信する第１の請求データ受信手段と、
前記第１のＢＦＴ料金請求データから、前記料金の被請求者を特定するための第１の識別子を抽出する第１の抽出手段と、
前記通信装置に接続された外部記憶媒体から、前記被請求者を特定するための第２の識別子を抽出する第２の抽出手段と、
前記抽出された第１の識別子と第２の識別子とが一致するか否かを判定する判定手段と、
前記判定手段により前記第１の識別子と前記第２の識別子とが一致すると判定された場合に、前記第１の通信端末から送信される第２のＢＦＴ料金請求データを受信する第２の請求データ受信手段と、
前記第２のＢＦＴ料金請求データの内容に基づいて、前記第２の通信端末へＢＦＴ振込み指示データを送信する送信手段と
を備えることを特徴とする通信装置。
【請求項１３】
通信回線を介して所定の料金の振込み指示処理を行うために第１及び第２の通信端末に接続され、外部記憶媒体を接続可能であるとともに、ＢＦＴデータの送受信が可能な通信装置であって、
前記第１の通信端末から送信されるＢＦＴ料金請求データを受信する請求データ受信手段と、
前記ＢＦＴ料金請求データに対応する前記料金振込み指示処理の開始命令を受け付けるための命令受付手段と、
前記命令受付手段により前記処理開始命令を受けた場合に、前記外部記憶媒体の前記通信装置への接続を検知する接続検知手段と、
前記接続検知手段において接続が検知された場合に、前記ＢＦＴ料金請求データの内容に基づいて第２の通信端末へＢＦＴ振込み指示データを送信する送信手段と
を備えることを特徴とする通信装置。
【発明の詳細な説明】
【０００１】
【発明の属する技術分野】
電気料金等の公共料金をはじめとする各種料金を支払うための銀行振込システムに使用するファクシミリ装置などの通信装置に関するものである。
【０００２】
【従来の技術】
各種支払いに係る金額の口座引き落としは銀行口座自動引き落としが便利であるが、インターネットが普及するにつれてクレジットカード番号を安易に知らせることで多額の料金を引き落とされたり間違った請求をされる恐れが生じている。また、インターネットを経由した料金引き落としを行う電子商取引（いわゆるＥコマース）時に料金の改竄などによる被害も出ている。
【０００３】
その一方で、自動引き落としやネットワークを経由せずにその都度確認しながら処理を行う銀行振込では、クレジットカード、デビットカード、電子マネーカードを利用するものや、銀行の端末機からの振込み、又は銀行窓口やコンビニで振り込む各種方法がある。
【０００４】
また、振込み依頼に関するファクシミリ機能の応用として、振込み情報をｆａｘ画像に変換して銀行に送付し確認する方法、現金自動取引装置において口座振込み時にホストコンピュータとのやり取りで入手した書類等を出力する方法、クレジットカードの与信情報のファクシミリ装置を利用した照会方法、ＩＤカードとファクシミリ機能を切り替える省スペース端末、ＩＳＤＮ網に接続したｆａｘ／ＴＶ電話等との接続を可能とした処理の迅速化や不正使用の防止を兼ねた電子決済端末あるいは本人確認情報をエンコードし注文表のラベル等に貼り付けそれを使用してファクシミリ装置による注文を行うことで取引の確実性を保証する方法等がある。
【０００５】
【発明が解決しようとする課題】
上記のように、内容を確認して振り込む方法は必要に応じその場所に出向く必要があり、その時にカードを紛失したり盗まれる危険性もある。また、ファクシミリ装置を応用する振込みシステムはそれ自体で振込みを完結できるものではなく、振込み時の内容確認や本人確認など補助的な使用にとどまっている。また、当該ファクシミリ装置はバイナリファイル転送（Ｂｉｎａｒｙ　Ｆｉｌｅ　Ｔｒａｎｓｆｅｒ：ＢＦＴ）機能を有し、ディジタル情報の送信が可能であるのにも関わらず、当該ＢＦＴ機能はファイルデータ送信（フロッピー（登録商標）転送装置など）等に使用されているだけで十分活用されているとは言えない。
【０００６】
【課題を解決するための手段】
上記課題を解決すべく、本発明は通信装置に搭載されたバイナリファイル転送機能を利用した料金振込み指示を可能とするものであって、具体的には、通信回線を介して第１及び第２の通信端末に接続され、外部記憶媒体を接続可能であるとともに、ＢＦＴデータの送受信が可能な通信装置を利用して所定の料金の振込み指示処理を行う料金振込み指示方法であって、前記第１の通信端末から送信される第１のＢＦＴ料金請求データを受信する第１の請求データ受信工程と、前記第１のＢＦＴ料金請求データから、前記料金の被請求者を特定するための第１の識別子を抽出する第１の抽出工程と、前記通信装置に接続された外部記憶媒体から、前記被請求者を特定するための第２の識別子を抽出する第２の抽出工程と、前記抽出された第１の識別子と第２の識別子とが一致するか否かを判定する判定工程と、前記判定工程により前記第１の識別子と前記第２の識別子とが一致すると判定された場合に、前記第１の通信端末から送信される第２のＢＦＴ料金請求データを受信する第２の請求データ受信工程と、前記第２のＢＦＴ料金請求データの内容に基づいて、前記第２の通信端末へＢＦＴ振込み指示データを送信する送信工程とを備える。
【０００７】
上記課題を解決すべく、本発明の別の側面では、通信回線を介して第１及び第２の通信端末に接続され、外部記憶媒体を接続可能であるとともに、ＢＦＴデータの送受信が可能な通信装置を利用して所定の料金の振込み指示処理を行う料金振込み指示方法であって、前記第１の通信端末から送信されるＢＦＴ料金請求データを受信する請求データ受信工程と、前記ＢＦＴ料金請求データに対応する前記料金振込み指示処理の開始命令を受け付けるための命令受付工程と、前記命令受付工程により前記処理開始命令を受けた場合に、前記外部記憶媒体の前記通信装置への接続を検知する接続検知工程と、前記接続検知工程において接続が検知された場合に、前記ＢＦＴ料金請求データの内容に基づいて第２の通信端末へＢＦＴ振込み指示データを送信する送信工程とを備える。
【０００８】
【発明の実施の形態】
以下に、図面を参照して本発明の通信装置としてのファクシミリ装置の実施形態を説明する。
【０００９】
図１は、本発明の実施形態に対応したファクシミリ装置１０１のブロック図である。１はファクシミリの動作を命令するソフトウェアを収容しているＲＯＭ、２は各種情報を蓄積しておくメモリ、３は送信画像を読み込む機能を有するスキャナ、４はダイヤルキーを含むファクシミリオペレーションを行なう操作パネル、５はこれら各種ユニットをＲＯＭ１の指定に従い制御するＣＰＵ、６は送信画像や受信画像を蓄積する画像メモリ、７は受信画像を出力するプリンターユニット、８は送信画像を圧縮あるいは受信画像を伸長するＣＯＤＥＣ、９は公衆回線、１０は回線制御を行なうＣＣＵ、１１は操作パネルであって、ＬＣＤの表示画面や、テンキーや各種設定入力ボタンを有する。１２、１３は、操作パネル上に配置される振込み指示ボタン及び暗証番号登録変更ボタンである。１４は、本ファクシミリ装置を利用して本発明の引き落とし処理実行するために必要な情報が記憶された外部記憶媒体としてのカード１０２のカードインタフェースである。当該カードの詳細については後述する。
【００１０】
図１の詳細動作を説明する前に図２で本発明装置を使用する決済システム動作の流れを以下に説明する。
【００１１】
Ａは料金を請求する法人（例えば、電気会社など）であって、通信端末２０１を備える。Ｂは本発明に対応するファクシミリ装置１０１を有するユーザーである。Ｃは法人Ａと取引をする銀行であって、ユーザーＢが支払う電気料金の振込先となる法人Ａの口座を有し、通信端末２０２を備える銀行である。ＤはユーザーＢが口座を有し、銀行Ｃの法人Ａの口座への電気料金の振込みをユーザーＢが指示することになる銀行であり、通信端末２０３を備える。
【００１２】
まず、処理２０でこのシステムで決済することを了承するユーザーＢは自宅に登録された電話番号、氏名、住所等のユーザー情報、及び、所定の料金を引き落とすための銀行Ｄにおける口座番号を法人Ａに郵送書類で知らせる。
【００１３】
処理２１では、これを受けて法人ＡがこれらユーザーＢの情報と口座番号及び料金を請求する時の必須事項（請求日付、該当月名、請求料金、ＩＤとそれらのフォーマット等）を記述したデータをユーザーＢの口座がある銀行Ｄに送付する。
【００１４】
処理２２で銀行Ｄは、相手（カード１０２の所有者であることの）確認のためのパスワード等を設定した上でカード所有者（この場合はユーザーＢ）の口座から引き落としを指示するために必要な情報を記憶させた外部記憶媒体（カード１０２）をユーザーＢに送付する。このカード１０２がデフォルトで記憶するのは、図８のＩＤと登録したユーザーＢの電話番号、法人Ａの通信端末２０１にアクセスするための電話番号および振込みする銀行Ｄの通信端末２０３にアクセスするための電話番号だけであってもよく、その場合に他のデータは実際にサービスが開始されてからＢＦＴデータとして法人Ａの通信端末２０１から送信される。
【００１５】
図８は、カード１０２の記録項目の一例を示す図である。また、図９は、図８の記録項目に対応するＢＦＴ送信データフォーマット例を示す。ここで、ＩＤ８０１とは、カード所有者（本実施形態であればユーザーＢ）を識別するための識別子である。登録電話番号８０２とは、当該ユーザーＢのファクシミリ装置１０１と通信するために必要となる電話番号である。料金請求元電話番号８０３とは、法人Ａの送信端末２０１と通信するために必要となる電話番号である。請求日付８０４とは、法人ＡがユーザーＢに支払いを求める所定の料金の請求日である。
【００１６】
該当期間８０５とは、料金の請求対象となった期間であり、例えば図９を参照すると２０００年１２月６日から２００１年１月５日までとなる。使用量８０６とは、例えば電気代の場合ならば上記該当期間内に消費した電力消費量をいう。料金８０７）とは、前記の使用量に基づいて算出される法人ＡがユーザーＢに対し請求する料金をいう。支払期限８０８とは、ユーザーＢが所定の料金を支払うための時間的な期限をいう。振込先電話番号８０９とは、本実施形態では、ユーザーＢがファクシミリ装置１０１から振込依頼を行うために銀行Ｄの通信端末２０３にアクセスする際に必要となる電話番号である。
【００１７】
未送信フラグ８１０とは、ユーザーＢから銀行Ｄへの振込指示処理が完了したかどうかを示すフラグであって、このフラグが立っている場合は未送信、即ち振込指示処理が完了していないことを示し、フラグがクリアされていれば、振込指示処理が完了していることを示す。これにより、請求された料金を振込み指示が完了したかどうかを容易に判定できるので、二重に支払い指示を行う等のミスを事前に防止することができる。
【００１８】
送信日８１１とは、上記の振込指示処理が完了した日時である。図８に示すカード記録項目及び図９に示すデータフォーマットは、本発明の説明のために記載したものであって、本発明の実施に際してここに記載した形態に限定することを意図するものではない。
【００１９】
本実施形態において、外部記憶媒体としての上記カード１０２には、磁気カード、ＩＣカード、メモリーカード等が含まれ、本発明の説明においては「カード」の語を専ら使用するが、外部記憶媒体はカード状のものに限定されるものではなく、所定の情報を記憶するための不揮発性の記憶媒体で有ればよい。
【００２０】
次に、処理２３において法人ＡからユーザーＢへの料金請求が行われる場合について説明する。ここでは、処理２１で郵送したデータフォーマットに従ったＢＦＴデータとして、料金請求データが通信端末２０１からユーザーＢ宅のファクシミリ装置１０１に公衆網を経由して送信される。この場合、ファクシミリ装置１０１にはカード１０２が接続されていることを前提とする。カード１０２が当該ファクシミリ装置に接続されていない場合については、処理２６と関連して説明する。
【００２１】
ユーザーＢのファクシミリ装置１０１では、送信データを受信記憶して、送信データに含まれるＩＤと接続されているカード１０２に記憶されているＩＤとが一致する場合に、当該カード１０２に請求内容を書き込む。更に、必要に応じてその内容を印刷出力する。ユーザーはこの印刷出力内容を参照して、例えば先月分の電気料金の請求内容を確認することができる。
【００２２】
ユーザーＢは、この請求に特に問題がない場合は、カード１０２をファクシミリ装置１０１に接続したまま振込み指示ボタン１２を押下して銀行Ｄに対して振込み指示を行うことができる。具体的には、ユーザーＢによる振込み指示がなされると、処理２４において、ファクシミリ装置１０１が当該振込み指示を、ユーザーＢが口座を有する銀行Ｄの通信端末２０３に公衆網経由でＢＦＴ送信する。
【００２３】
処理２５では、処理２４の情報を元に銀行Ｄの通信端末２０３から銀行Ｃの通信端末２０２に対し、所定の処理により振り込み処理を行うことになる。この振り込み処理は当業者には公知の技術を利用すればよいので、ここではその詳細な説明は省略する。
【００２４】
処理２３において、もし、ファクシミリ装置１０１に所定のカード１０２が接続されていない場合、法人Ａから料金請求に関するＢＦＴ本体データの送信をさせないように、ファクシミリ装置１０１は回線を切断する。処理２６では、請求が遅滞なくユーザーＢに行われるように、ユーザーＢのファクシミリ装置１０１に所定のカード１０２が接続されるとファクシミリ装置１０１は法人Ａの通信端末２０１の電話番号を検知しポーリング発呼してＢＦＴ再送要求を行い、これに応じて法人Ａの通信端末２０１は処理２７においてＢＦＴデータを再送する。
【００２５】
この時の回線は、フリーダイヤルであればユーザーＢには電話代は発生しないようにできる。ここで、電話番号と称しているのはコンピュータやファクシミリが接続されている公衆回線の番号で、単なる電話機が接続されている番号を意味するのは言うまでもない。
【００２６】
次に、以上のシステムにおける本発明のファクシミリ装置１０１の動作を図３乃至図６を参照して以下に詳細に説明する。図３は、本発明の実施形態におけるＢＦＴデータと画像の信号送信例を示す。図５は、ユーザーＢのファクシミリ装置１０１が、法人Ａから料金支払いのための請求データを受信するフローである。
【００２７】
まず、ステップＳ５０１において、ファクシミリ装置１０１は着信を受ける。具体的には、図３に示すように法人Ａの送信端末からのダイヤリングをファクシミリ装置が受けると、まず一時応答を返し、これに応じて法人Ａの送信端末から発信電話番号と端末識別子が送信され、更にＣＮＧ信号が送信される。ファクシミリ装置は着信可能である場合にはＣＥＤ信号を返す。
【００２８】
次に、ステップＳ５０２においてＢＦＴ受信可能かどうかを判定する。具体的には、まず、ファクシミリ装置は、図３に示すようにＣＥＤ信号を送信した後、その時の端末機能をＤＩＳ信号により法人Ａの送信端末へ送信する。このとき、ＤＩＳ信号にはＢＦＴ受信機能があることを示すビット（ＢＦＴビット）がセットされているので、法人Ａの送信端末２０１はＤＩＳ信号中のＢＦＴビットを確認することによりＢＦＴ送信を実行することができる。法人Ａの送信端末２０１は、ＤＣＳ信号を送信し、ＴＣＦ信号によりトレーニングを行う。ファクシミリ装置１０１は、送信端末２０１から送信されたＤＣＳ信号に含まれたＢＦＴ送信機能ビットを受けてＢＦＴ受信が可能か判定し、ＢＦＴ受信が可能な場合は、受信準備確認信号であるＣＦＲ信号を送信してステップＳ５０３に進む。
【００２９】
一方、ＢＦＴ受信が不可と判定された場合は、ステップＳ５０８で受信終了となる。ステップＳ５０８は、電話番号が間違っていた等の何らかのエラーが生じた場合に対応した予備的なステップである。というのも、本実施形態において送信端末は、図２に示すような登録手続を行ったユーザーＢが利用するＢＦＴ機能を有するファクシミリ装置１０１に対して発呼しているので、このようなエラーが生じない限りはＢＦＴ受信不可の状況にはならないからである。
【００３０】
次に、ステップＳ５０３でまず送信されるＢＦＴ料金請求データに含まれるヘッダーを受信する。この例では、図８のヘッダー８００（ＩＤ８０１、登録電話番号８０２、及び料金請求元電話番号８０３を含む。データフォーマットは図９に示す。）のデータに対応する。次にステップＳ５０４で図９のＢＦＴデータフォーマット例のＦｉｌｅ−ｎａｍｅで示すＩＤ９０１と、ユーザーＢのファクシミリ端末１０１に接続されているカード１０２に記憶された図８のＩＤ８０１の内容とを比較する。比較の結果、両者が一致した場合にはステップＳ５０５でＢＦＴ本体データ受信ＯＫを示す信号（ＭＣＦ）を送信し、ステップＳ５０６で請求料金を含むＢＦＴデータ本体を受信してメモリ２に記憶する。
【００３１】
このように、本発明では、法人ＡからユーザーＢへの料金請求手続を、ＢＦＴデータのヘッダー部と本体部とを利用して段階的に行うことを可能とする。従って、第１のデータとしてヘッダー部をステップＳ５０３において処理して、ユーザーＢが料金の被請求者として適正であると判断された場合にのみ、第２のデータとして本体データがファクシミリ装置１０１において処理される。これにより他人への不用意な情報開示を防止することができる。また、本実施形態の説明においては、ステップＳ５０３における受信データとステップＳ５０６における受信データを、ＢＦＴデータのヘッダー部と本体部とで分けているが、これを共にＢＦＴデータそのものとしても良い。
【００３２】
またこの受信データをカード１０２の所定のエリア（図８の８０４から８０９）に書き込むと共に、未送信フラグ８１０をセットする。このように、ＢＦＴデータを接続されたカード１０２に記録することで、カード１０２にメモリバックアップ機能を持たせ、またその内容を出力させることで現在の振込み状況を確認する事ができる。
【００３３】
ステップＳ５０６における処理の後そのままステップＳ５０７に移行して通信終してもよいが、ステップＳ５０７に直ちに移行せずステップＳ５１２において通信端末２０１がＢＦＴ送信に続きＢＦＴデータを画像変換したデータを送信し、ファクシミリ装置１０１において受信したデータを印字出力してもよい。これにより、ユーザーＢは明示的に請求の内容を知ることが出来る。この時の信号の流れは、図３においてＢＦＴ本体データの送信後ＰＰＳ−ＥＯＰ信号の代わりにＰＰＳ−ＥＯＭ信号で通常のＧ３ファクシミリのフェーズＢにもどし、ＤＩＳ信号受信後、ＢＦＴビットをクリアした後適切な圧縮符号化でこの画像を送信し、この画像の最後のデータ後にＰＰＳ−ＥＯＰ信号を出し回線切断のＤＣＮ信号を送出することになる。全ての必要なデータを受信し記憶したらステップＳ５０７で回線を切断し通信終了となる。
【００３４】
次にステップＳ５０４でＮｏの場合、つまりカード１０２が接続されていないか接続されても異なるカードの場合は、ステップＳ５０９に移行してＢＦＴ転送のフォーマットを規定するＩＴＵ−Ｔ勧告Ｔ．４３４のエラー情報に従い、エラー情報をＦＤＭエラー信号で、必要に応じて更にエラー情報を付加して返送する。
【００３５】
ステップＳ５１０では、所定のカード１０２が接続されたときに備えカード１０２のＩＤ、網のサービスの一つとして送信される発信電話番号（図３のＣＮＧ信号の前に送信される。）及び、ＢＦＴの本体データについては未受信であることを示すＢＦＴ未受信フラグをメモリ２に記憶しておき、ステップＳ５１１でエラーのため回線切断し処理を終了する。このようにカード１０２が接続されていない場合には、ＢＦＴ本体のデータを受信することなく回線切断することで不必要なデータ開示を避け、かつ、その旨をＢＦＴデータのヘッダー部情報から出力することでカード接続を促すことができる。また、エラーにより回線断した場合に、発信電話番号あるいはＩＤを記憶するので、カード１０２が接続されたときに自動発信してＢＦＴデータを受信要求し遅滞ない支払いを要請することが可能となる。
【００３６】
さらに図４及び図６を参照して、ＢＦＴ受信した後の口座振込み指示を行う時のファクシミリ装置１０１の動作を説明する。図４は、本発明の実施形態におけるＢＦＴデータと画像の信号送信例であって、図３とほぼ同様である。図６は、ＢＦＴ受信後のファクシミリ装置１０１における動作のフローチャートである。
【００３７】
ステップＳ６００で、ユーザーＢによる振込み指示ボタン１２の押下による振り込み指示を検知すると、ステップＳ６０１でカード１０２が接続されているかどうかを判定する。この判定は、カードインタフェース１４において信号入力の有無を検知することにより実行できる。カード１０２の接続の有無は、ファクシミリ装置１０１の操作パネル１１においてユーザーＢに対し報知することもできる。ステップＳ６０１における判定の結果、カード１０２が接続されている場合には、ステップＳ６０２に移行して、カード１０２の未送信フラグ８１０がクリアされているかどうかに基づき、振込み指示が既に行われているかどうかを判定する。ここで未送信フラグ８１０がクリアされていれば、ステップＳ６０９で、ユーザーＢに操作ミスかどうかを確認するため「振込み指示済」を示す内容を操作パネル１１に表示し、カード１０２に送信日８１１が記憶されている場合には、これを印字出力して動作を終了する。一方、ステップＳ６０１でカードが接続されていない場合は、ステップＳ６０８に進み、カード接続を促す旨の表示を操作パネル１１上にするか、カードの再接続を促す様に警告音を発する。この後、再度ステップＳ６０１へ移行して、カードが接続されているかどうかを判定する。
【００３８】
また、ステップＳ６０２において、未送信フラグ８１０がクリアされていない場合は、まだ振込み指示がされていないこととなるので、ステップＳ６０３に移行し、ステップＳ５０６においてメモリ２に書き込まれた料金データ又はカード１０２に格納されている料金データ８０７と、振込先電話番号８０９とＩＤとをＢＦＴデータとして、銀行Ｄの通信端末２０３へ送信する。また、このとき未送信フラグ８１０をクリアする。
【００３９】
このステップＳ６０３での発呼時において、ファクシミリ装置１０１から網のサービスの一つとして送信された上記発信電話番号を送信するように設定することもできる。この時、受信側の銀行Ｄの通信端末２０３に対してＢＦＴデータとして送信されるＩＤと、この発信電話番号が事前に登録した値と一致しない場合は、登録した電話回線を使用していない不正なアクセスであると判断して、銀行Ｄの通信端末２０３がファクシミリ装置１０１からのアクセスを拒否するように設定されてもよい。通信端末２０３によってアクセスを拒否された場合には、発呼側であるファクシミリ装置１０１が警告音を発信させて通信を終了させることにより、他人のカードを使用して不正アクセスする機会を防止できる。本実施形態においては、仮に他人に使用されても事前に記憶された正規の請求料金がカードの所有者の口座から支払われるだけで、予期しない不当な料金を引き落とされる可能性は低いと思われるが、登録された端末からの振込みのみを受け付けることにより、潜在的な不正を防止でき安全性を確保することができる。
【００４０】
ユーザーＢが支払い状況を確認したい場合に、ユーザーＢから所定の暗証番号の入力を受けると、ステップＳ６０５では入力された暗証番号が有効であるかを判定する。暗証番号の有効性については、操作パネル１１上に配置された暗証番号登録変更ボタン１３を利用して、ファクシミリ装置１０１のメモリ２内に登録・格納された暗証番号と、入力された暗証番号が一致するかどうかを判定することによって判定しても良い。
【００４１】
入力された暗証番号が有効であると判定されると、ステップＳ６０６に移行して送信したデータを確認のため印字出力する。ユーザーＢは、この出力結果から振り込み情報を確認できる。ステップＳ６０５で暗証番号が無効であると判定された場合にはＢＦＴ送信が終了した後ステップＳ６０７に進みそのまま通信を終了する。
【００４２】
次に図７を参照して、図２の処理２７における、法人Ａの通信端末２０１からユーザーＢのファクシミリ装置１０１へ請求データのＢＦＴ送信をした時点で、所定のカード１０２が（正確に）接続されていなかったが、その後接続された（し直され）場合の自動ポーリング発呼のフローを説明する。図７は、ファクシミリ装置１０１のＢＦＴ本体データの未受信時における自動ポーリング動作に伴う処理のフローチャートである。
【００４３】
まず、ステップＳ７００においてカードが利用可能な状態で接続されたことを検知すると、ステップＳ５１０でメモリ２に退避したＢＦＴデータのヘッダーからＩＤ９９０１を読み出し、接続されたカード１０２に格納されているＩＤ８０１と比較する（ステップＳ７０１）。比較の結果、両者が一致しなければ処理を終了し、一致すれば、ステップＳ７０２に移行して、ＢＦＴでのポーリング受信ビットをセットして、ステップＳ５１０であらかじめメモリ２に記憶しておいた発信電話番号に対して自動発呼をする。
【００４４】
着呼側の法人Ａの送信端末２０１では、ステップ７０２における自動発呼に応じてＢＦＴ本体のデータ（請求料金データを含む）をあらためて送信するので、ステップＳ７０３においてこれを受信する。次に、ステップＳ７０４において、ＢＦＴ未受信フラグをクリアした後、ステップＳ７０５において通信終了する。
【００４５】
本発明の上記実施形態においては、不正使用の場合の例として、本振込みシステムの登録の時に故意に他人の電話番号を指定し、他人のカードから口座振込みを意図した場合でも、登録時のカードのＩＤは全て異なるので、その他人の電話番号の本ファクシミリに接続されたカードに正規のカードが接続されているかどうかのＩＤのチェックがＢＦＴヘッダーの送信時に行われるので、不正に他人のカードに請求金額が記録されることは無い。また、カードを使用しない場合でもメモリ２に受け付けるＩＤ番号を事前に登録しておくことで同様な効果をもたせることが出来る。
【００４６】
さらに上記の実施形態では、カードが１つのＩＤのみを有する場合について説明したが、メモリ容量に応じて請求元毎（例えば、電気料金、水道料金、ガス料金など）に別々のＩＤで登録し、１枚のカードで処理できるようにしても良い。又、口座毎に異なるカードで管理するのも通常の銀行カードの場合と同様である。
【００４７】
また、図８に示したカードに記録する項目は一例で、カード１０２のメモリ容量に従ってＩＤ８０１と料金８０７のみとしても良い。このときは、登録電話番号８０２、請求日付８０４、振込先電話番号８０９などは本体のファクシミリ側にＢＦＴ受信した内容をメモリ２にＩＤ毎に管理したテーブルに記憶させることで同様な効果をもたらすことが出来る。
【００４８】
また、図９のＢＦＴデータのフォーマットは一例であり送信する各種データ（登録電話番号や料金など）をどのパラメータで定義するかはＩＴＵ−Ｔ勧告のＴ．４３４の定義とアプリケーション例に従い本システムを導入するグループで適宜設定することが出来るので、一つの可能性を示したに過ぎない。
【００４９】
また、本発明ではあらかじめ登録されたファクシミリ装置１０１を利用して、法人Ａから請求される特定料金のみを支払うことになるので、カード１０２を紛失してもクレジットカードやキャッシュカードのように予期しない金額を不正に他人に使用される心配が大きく軽減される。
【００５０】
［その他の実施形態］
なお、本発明は、複数の機器（例えばホストコンピュータ、インタフェイス機器、リーダ、プリンタなど）から構成されるシステムであって、ＢＦＴ機能を有するファクシミリ装置と同様の機能を果たすシステムを通信装置とみなして適用しても良いし、上記のファクシミリ装置のような一つの機器からなる通信装置に適用してもよい。
【００５１】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５２】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【発明の効果】
このように本発明によれば、所定のカードを利用して、ディジタル情報の送信を可能とするファクシミリ装置のＢＦＴ機能を利用した口座振込みのファクシミリ指示を可能とするのでわざわざ所定の金融機関まで出向く必要もなく、さらに、料金請求、振込み指示等をＢＦＴデータとして送受信し、かつ、指示の確認をカードに記憶されたＩＤ等で行うことできるので、処理の確実性を保証することができる。
【００５３】
また、本発明によれば、あらかじめ登録されたファクシミリ装置をカードと併せて利用することにより口座振り込み処理を実行するので、カードが盗難などにより紛失した場合であっても悪用される可能性を低く抑えることができる。
【図面の簡単な説明】
【図１】本発明におけるファクシミリ装置１０１の構成を示すブロック図である。
【図２】本発明の実施形態における決済処理の流れを示す図である。
【図３】本発明の実施形態におけるＢＦＴデータと画像の信号送信例を示す。
【図４】本発明の実施形態におけるＢＦＴデータと画像の信号送信例を示す。
【図５】本発明の実施形態に対応したファクシミリ装置１０１における動作のフローチャートである。
【図６】本発明の実施形態に対応した、ＢＦＴ受信後のファクシミリ装置１０１における動作のフローチャートである。
【図７】本発明の実施形態に対応した、ＢＦＴ本体データ未受信時におけるファクシミリ装置１０１による自動ポーリング動作のフローチャートである。
【図８】本発明の実施形態に対応したカード１０２に記憶されるデータ項目の一例を示す図である。
【図９】本発明の実施形態に対応したＢＦＴ送信データフォーマットの一例を示す図である。
【図１】
2004021644.tif 000003
【図２】
2004021644.tif 000004
【図３】
2004021644.tif 000005
【図４】
2004021644.tif 000006
【図５】
2004021644.tif 000007
【図６】
2004021644.tif 000008
【図７】
2004021644.tif 000009
【図８】
2004021644.tif 000010
【図９】
2004021644.tif 000011